(57)【特許請求の範囲】
【請求項１】
１つの広告表示形態で実現された第１広告情報を広告プラットフォームから受信してユーザのモバイル端末に提供する広告情報提供部と、
前記モバイル端末の動きに基づいて生成されたモーション情報を受信するモーション情報受信部と、
前記モーション情報に基づいて他の広告表示形態で実現された第２広告情報を前記広告プラットフォームに要求する広告情報要求部と、
を含み、
前記広告情報提供部は、
前記広告プラットフォームから前記第２広告情報を受信して前記モバイル端末にさらに提供し、
前記第１広告情報及び前記第２広告情報は、１つの広告素材に対して互いに異なる広告表示形態で実現された広告情報であることを特徴とする広告提供システム。
【請求項２】
前記モーション情報は、前記モバイル端末が含む少なくとも１つのセンサの出力値に基づいて生成され、
前記出力値は、前記１つの広告情報が前記モバイル端末の画面を介して表示される間の前記センサの出力値を含むことを特徴とする請求項１に記載の広告提供システム。
【請求項３】
サーバから受信した第１広告情報を画面に表示する広告情報表示部と、
前記第１広告情報が画面に表示される間に検出された動きによってモーション情報を生成するモーション情報生成部と、
前記生成されたモーション情報を前記サーバに送信するモーション情報送信部と、
を含み、
前記広告情報表示部は、
前記モーション情報に基づいて前記サーバから第２広告情報が受信される場合、前記第１広告情報が表示された画面を切り替えて前記受信した第２広告情報を表示して、
前記第１広告情報及び前記第２広告情報は、１つの広告素材に対して互いに異なる広告表示形態で実現された広告情報であることを特徴とする広告提供システム。
【請求項４】
出力値を提供する少なくとも１つのセンサをさらに含み、
前記モーション情報生成部は、
前記センサから提供された出力値に基づいて測定された動きによって前記モーション情報を生成することを特徴とする請求項３に記載の広告提供システム。
【請求項５】
前記互いに異なる広告表示形態は、モバイル端末に提供されるページの広告領域を介して表示される広告情報のための第１広告表示形態、前記ページにオーバーレイするレイヤを介して表示される広告情報のための第２広告表示形態、前記ページと関連してポップアップするポップアップページを介して表示される広告情報のための第３広告表示形態、前記モバイル端末にインストールされたアプリケーションの制御によって表示する広告情報のための第４広告表示形態、前記第１広告表示形態から前記第４広告表示形態のうちの１つで実現された広告情報の大きさまたは内容が拡張された広告情報のための第５広告表示形態、動画で実現された広告情報を表示するための第６広告表示形態、及びランディングページを介して表示される広告情報のための第７広告表示形態のうち少なくとも１つ以上の広告表示形態を含むことを特徴とする請求項１または請求項３に記載の広告提供システム。
【請求項６】
１つの広告表示形態で実現された第１広告情報を広告プラットフォームから受信してユーザのモバイル端末に送信し、
前記モバイル端末の動きに基づいて生成されたモーション情報を受信し、
前記モーション情報に基づいて他の広告表示形態で実現された第２広告情報を前記広告プラットフォームに要求し、
前記広告プラットフォームから前記第２広告情報を受信して前記モバイル端末に送信することを含み、
前記第１広告情報及び前記第２広告情報は、１つの広告素材に対して互いに異なる広告表示形態で実現された広告情報であることを特徴とする広告提供方法。
【請求項７】
前記モーション情報は、前記モバイル端末が含む少なくとも１つのセンサの出力値に基づいて生成され、
前記出力値は、前記１つの広告情報が前記モバイル端末の画面を介して表示される間の前記センサの出力値を含むことを特徴とする請求項６に記載の広告提供方法。
【請求項８】
サーバから受信した第１広告情報を画面に表示し、
前記第１広告情報が画面に表示される間に検出された動きによってモーション情報を生成し、
前記生成されたモーション情報を前記サーバに送信し、
前記モーション情報に基づいて前記サーバから第２広告情報が受信される場合、前記第１広告情報が表示された画面を切り替えて前記受信した第２広告情報を表示することを含み、
前記第１広告情報及び前記第２広告情報は、１つの広告素材に対して互いに異なる広告表示形態で実現された広告情報であることを特徴とする広告提供方法。
【請求項９】
前記互いに異なる広告表示形態は、モバイル端末に提供されるページの広告領域を介して表示される広告情報のための第１広告表示形態、前記ページにオーバーレイするレイヤを介して表示される広告情報のための第２広告表示形態、前記ページと関連してポップアップされるポップアップページを介して表示される広告情報のための第３広告表示形態、前記モバイル端末にインストールされたアプリケーションの制御によって表示する広告情報のための第４広告表示形態、前記第１広告表示形態から前記第４広告表示形態のうちの１つで実現された広告情報の大きさまたは内容が拡張された広告情報のための第５広告表示形態、動画で実現された広告情報を表示するための第６広告表示形態、及びランディングページを介して表示される広告情報のための第７広告表示形態のうち少なくとも１つ以上の広告表示形態を含むことを特徴とする請求項６または請求項８に記載の広告提供方法。
【請求項１０】
請求項６または請求項８の方法を実行するプログラムを記録したことを特徴とするコンピュータ読み出し可能記録媒体。
【発明の詳細な説明】
【技術分野】
【０００１】
本発明は、モバイル端末の動きに基づいて広告を提供するシステム及び方法に関する。
【背景技術】
【０００２】
近年、有線メディアを介して提供される広告だけでなく、モバイル機器を介して広告を提供するモバイル広告市場が急速に成長している。モバイル広告はスマートフォンやタブレットＰＣ等の、アプリケーションやモバイルウェブなどに挿入及び伝達される広告として、携帯用の機器を介して時間と場所に制約されず、ターゲットとなる顧客を対象に、音声、文字、動画などの多様な形態によって広告内容を伝達するモバイルマーケティング手段を意味するものである。
【０００３】
従来技術では、このようなモバイル広告において、ユーザの関心を誘導するためのさまざまな方法が用いられている。一例として、大韓民国公開特許第２０１１−００４６４３２号明細書（発明の名称：モバイル機器のバナー広告表示制御によるクリック率増大方法）には、ユーザがクリックしたバナー広告を、一定時間表示しないことによって、ユーザは一度のクリックで広告なしでアプリケーションを使用することができるようにし、ユーザが広告をクリックするように誘導する技術が開示されている。
【０００４】
しかし、このような従来技術は、ユーザの興味を誘発して広告のクリックを誘導するものではなく、ユーザがアプリケーションを使用するためにクリックさせるように強制する要素が存在し、ユーザが自発的に広告に関心を持つように誘導するのではなく、ユーザにクリックを強制するという問題点がある。
【発明の概要】
【発明が解決しようとする課題】
【０００５】
本発明は、ユーザの興味を誘発してユーザの関心を誘導し、より便利に広告に関する情報を提供することによって、効率的にモバイル広告を提供することのできる広告提供システム及び方法を提供することを目的とするものである。
【０００６】
本発明の一実施形態は、モバイル端末の動きによって表示した広告を拡張したり、または表示した広告と関連する動画などのコンテンツを提供することによって、モバイル広告に対するユーザの興味を誘発してユーザの関心を誘導できる広告提供システム及び方法を提供することを目的とする。
【０００７】
また、本発明の一実施形態は、ユーザがモバイル端末を振ったり回転させる行為によって生じるモバイル端末の動きを介して、より手軽に追加的な広告情報をユーザに提供することによって広告主の立場では広告効果を高めることができ、媒体の立場では広告収益を増大させることができる広告提供システム及び方法を提供することを目的とする。
【課題を解決するための手段】
【０００８】
本発明の一実施形態によれば、１つの広告素材に対して、互いに異なる広告表示形態で実現された複数の広告情報を管理する広告情報管理部と、複数の広告情報のうち１つの広告情報を提供する広告情報提供部とを含み、１つの広告情報は、ユーザのモバイル端末に提供されてモバイル端末の画面を介して表示され、広告情報提供部は、モバイル端末の動きに基づいてモバイル端末で生成されたモーション情報に応じて複数の広告情報のうち他の１つの広告情報をさらに提供することを特徴とする広告提供システムを提供する。
【０００９】
また、モーション情報に応じて提供する広告情報の広告表示形態が決定されてもよい。この場合、広告情報提供部は、決定された広告表示形態で実現された広告情報を他の１つの広告情報としてさらに提供してもよい。
【００１０】
また、モーション情報は、モバイル端末が含む少なくとも１つのセンサの出力値に基づいて測定されたモバイル端末の動きによって生成されてもよく、出力値は１つの広告情報がモバイル端末の画面を介して表示される間のセンサの出力値を含んでもよい。
【００１１】
また、互いに異なる広告表示形態は、モバイル端末に提供されるページの広告領域を介して表示される広告情報のための第１広告表示形態、ページにオーバーレイ（ｏｖｅｒｌａｙ）するレイヤを介して表示される広告情報のための第２広告表示形態、ページと関連してポップアップ（ｐｏｐ−ｕｐ）するポップアップページを介して表示される広告情報のための第３広告表示形態、モバイル端末にインストールされたアプリケーションの制御によって表示する広告情報のための第４広告表示形態、第１広告表示形態から第４広告表示形態のうちの１つで実現された広告情報の大きさまたは内容が拡張された広告情報のための第５広告表示形態、動画で実現された広告情報を表示するための第６広告表示形態、及びランディングページを介して表示される広告情報のための第７広告表示形態のうち２つ以上の広告表示形態を含んでもよい。
【００１２】
また、本発明の一実施形態によれば、１つの広告表示形態で実現された第１広告情報を広告プラットフォームから受信してユーザのモバイル端末に提供する広告情報提供部と、前記モバイル端末の動きに基づいてモバイル端末で生成されたモーション情報を受信するモーション情報受信部と、モーション情報に基づいて他の広告表示形態で実現された第２広告情報を広告プラットフォームに要求する広告情報要求部とを含み、広告情報提供部は、広告プラットフォームから第２広告情報を受信してモバイル端末にさらに提供し、第１広告情報及び第２広告情報は、１つの広告素材に対して互いに異なる広告表示形態で実現された広告情報であることを特徴とする広告提供システムを提供する。
【００１３】
また、本発明の一実施形態によれば、サーバから受信した第１広告情報を画面に表示する広告情報表示部と、第１広告情報が画面に表示される間に検出された動きによってモーション情報を生成するモーション情報生成部と、生成されたモーション情報をサーバに送信するモーション情報送信部とを含み、広告情報表示部は、モーション情報に基づいてサーバから第２広告情報が受信される場合、第１広告情報が表示された画面を切り替えて受信した第２広告情報を表示して、第１広告情報及び第２広告情報は、１つの広告素材に対して互いに異なる広告表示形態で実現された広告情報であることを特徴とする広告提供システムを提供する。
【００１４】
また、本発明の一実施形態によれば、１つの広告素材に対して、互いに異なる広告表示形態で実現された複数の広告情報を管理し、複数の広告情報のうち１つの広告情報を提供し、モバイル端末の動きに基づいてモバイル端末で生成されたモーション情報に応じて複数の広告情報のうち他の１つの広告情報をさらに提供することを含み、１つの広告情報は、ユーザのモバイル端末に提供されてモバイル端末の画面を介して表示され、他の１つの広告情報は、モバイル端末に提供されて１つの広告情報を代えて画面を介して表示されることを特徴とする広告提供方法を提供する。
【００１５】
また、本発明の一実施形態によれば、１つの広告表示形態で実現された第１広告情報を広告プラットフォームから受信してユーザのモバイル端末に送信し、モバイル端末の動きに基づいてモバイル端末で生成されたモーション情報を受信し、モーション情報に基づいて他の広告表示形態で実現された第２広告情報を広告プラットフォームに要求し、広告プラットフォームから第２広告情報を受信してモバイル端末に送信することを含み、第１広告情報及び第２広告情報は、１つの広告素材に対して互いに異なる広告表示形態で実現された広告情報であることを特徴とする広告提供方法を提供する。
【００１６】
また、本発明の一実施形態によれば、サーバから受信した第１広告情報を画面に表示し、第１広告情報が画面に表示される間に検出された動きによってモーション情報を生成し、前記生成されたモーション情報をサーバに送信し、モーション情報に基づいてサーバから第２広告情報が受信される場合、第１広告情報が表示された画面を切り替えて受信した第２広告情報を表示することを含み、第１広告情報及び第２広告情報は、１つの広告素材に対して互いに異なる広告表示形態で実現された広告情報であることを特徴とする広告提供方法を提供する。
【発明の効果】
【００１７】
本発明によれば、モバイル端末の動きによって表示した広告を拡張したり、または表示した広告と関連する動画などのコンテンツを提供することにより、モバイル広告に対するユーザの興味を誘発してユーザの関心を誘導することができる。
【００１８】
また、ユーザがモバイル端末を振ったり回転させる行為によって生じるモバイル端末の動きを介して、より手軽に追加的な広告情報をユーザに提供することによって広告主の立場では広告効果を高めることができ、媒体の立場では広告収益を増大させることができる。
【図面の簡単な説明】
【００１９】
【図１】本発明の一実施形態において、モバイル端末の動きによって同一の広告素材に対応する他の広告情報を提供する一例を示す図である。
【図２】本発明の一実施形態において、モバイル端末の動きによって同一の広告素材に対応する他の広告情報を提供する異なる例を示す図である。
【図３】発明の一実施形態において、モバイル端末の動きによって同一の広告素材に対応する他の広告情報を提供する、また他の例を示す図である。
【図４】本発明の一実施形態において、広告主、広告プラットフォーム、パブリッシャ、及びユーザ間の関係を概略的に示す図である。
【図５】本発明の一実施形態において、広告提供システムの内部構成を説明するためのブロック図である。
【図６】本発明の一実施形態において、広告提供方法を示すフローチャートである。
【図７】本発明の他の実施形態において、広告提供システムを説明するためのブロック図である。
【図８】本発明の他の実施形態において、広告提供方法を示すフローチャートである。
【図９】本発明のまた他の実施形態において、広告提供システムを説明するためのブロック図である。
【図１０】本発明のまた他の実施形態において、広告提供方法を示すフローチャートである。
【発明を実施するための形態】
【００２０】
以下、本発明の実施形態について添付の図面を参照しながら詳細に説明する。
【００２１】
図１は、本発明の一実施形態において、モバイル端末の動きによって同一の広告素材に対応する他の広告情報を提供する一例を示す図である。図１は、モバイル端末１１０の画面にディスプレイ広告の形態で作成された第１広告情報１２０が表示された様子と、モバイル端末１１０の動きによって第１広告情報１２０が広告の表示領域及び広告内容が拡張された広告である第２広告情報１３０に変更されて表示される様子を各々示したものである。すなわち、図１に示す一例では、ユーザがモバイル端末１１０を振る行為によって生じるモバイル端末１１０の動きが測定され、測定された動きによって第１広告情報１２０が第２広告情報１３０に変更されて表示される過程を示している。
【００２２】
このように、本発明の実施形態では、モバイル端末の動きによって１つの広告素材に対応してそれぞれ異なる広告表示形態で実現された複数の広告情報を提供する方法、及びシステムについて説明する。ここで、互いに異なる広告表示形態は、モバイル端末に提供されるページの広告領域を介して表示される広告情報のための第１広告表示形態、前記ページにオーバーレイする（ｏｖｅｒｌａｙ）レイヤを介して表示される広告情報のための第２広告表示形態、前記ページと関連してポップアップされるポップアップページを介して表示される広告情報のための第３広告表示形態、モバイル端末にインストールされたアプリケーションの制御によって表示する広告情報のための第４広告表示形態、第１広告表示形態から前記第４広告表示形態のうちの１つで実現された広告情報の大きさまたは内容が拡張された広告情報のための第５広告表示形態、動画で実現された広告情報を表示するための第６広告表示形態、及びランディングページを介して表示される広告情報のための第７広告表示形態のうち少なくとも１つ以上の広告表示形態を含んでもよい。
【００２３】
図２は、本発明の一実施形態において、モバイル端末の動きによって同一の広告素材に対応する他の広告情報を提供する異なる例を示す図である。図２は、モバイル端末１１０の画面にディスプレイ広告の形態で作成された第１広告情報１２０が表示された様子と、モバイル端末１１０の動きによって第１広告情報１２０が動画広告の第３広告情報２１０に変更されて表示される様子を各々示したものである。すなわち、図２に示す一例では、ユーザがモバイル端末１１０を横に回転させる行為によって生じるモバイル端末１１０の動きが測定され、測定された動きによって第１広告情報１２０が第３広告情報２１０に変更されて表示される過程を示している。
【００２４】
図３は、発明の一実施形態において、モバイル端末の動きによって同一の広告素材に対応する他の広告情報を提供する、また他の例を示す図である。図３は、モバイル端末１１０の画面に動画広告の第３広告情報２１０が表示された様子と、モバイル端末１１０の動きによって第３広告情報２１０が拡張広告であう第２広告情報１３０に変更されて表示される様子を各々示したものである。すなわち、図３に示す一例では、モバイル端末１１０を縦に回転させた時に生じるモバイル端末１１０の動きが測定され、測定された動きによって第３広告情報２１０が第２広告情報１３０に変更されて表示される過程を示している。
【００２５】
図１〜図３で説明した第１広告情報１２０、第２広告情報１３０、及び第３広告情報２１０は、１つの同一の広告素材に対して互いに異なる広告表示形態によって実現した広告情報であってもよい。このように、１つの同一の広告素材に対してそれぞれ互いに異なる広告表示形態で実現された広告情報を、モバイル端末の動きに応じて変更して提供することにより、ユーザには広告に対する関心と興味を誘導することができ、より便利に、表示された広告に対する追加情報を提供することもできるようになる。また、広告主には広告効果を向上させるための機会を、広告を提供する媒体には広告収益を増大させることができる機会を各々提供することができる。
【００２６】
ここで、図１乃至図３の例は、発明の理解を助けるためのものにすぎず、本発明が上述した例に限定されることはない。モバイル端末１１０の動きとしては、振る、裏返す、回転、または移動などをその方向と組合わせによって多様に定義することができる。また、それに加えて、モバイル端末１１０自体の動きだけでなく、ユーザの動き、例えば、手のジェスチャー、タッチした指の動き、目のまばたきや瞳の動き、また、特定の音や音声の命令などを含むものであってもよい。このような動きは、モバイル端末１１０に内蔵されるか、または取り付けられた少なくとも１つ以上のセンサ、例えばジャイロスコープ、重力センサ、照度センサ、加速センサ、地磁センサ、近接センサ、圧力センサ、タッチセンサ、マイク、および／またはカメラなどを用いてさまざまな方法で測定してもよい。
【００２７】
上記の各動きまたはその動きを組み合わせた動きパターンに対応して提供する広告表示形態を設定してもよい。例えば、モバイル端末１１０を振る行為によって生じるモバイル端末１１０の動きにより拡張広告ではない動画広告が提供されたり、または、別のレイヤやポップアップページを介して表示される広告表示形態で広告情報が実現されて提供されてもよい。また、モバイル端末１１０を裏返す動きによって変更される広告情報の広告表示形態が、予め設定してもよく、またはモバイル端末１１０を、前後、上下、及び左右のうちいずれの方向に振るかに応じて各々変更される広告表示形態を予め設定してもよい。すなわち、図１乃至図３の例だけでなく、モバイル端末１１０の動きに応じて広告表示形態が変更されたり終了されたりするすべての場合を本発明に含むことができる。
【００２８】
図４は、本発明の一実施形態において、広告主、広告プラットフォーム、パブリッシャ及びユーザ間の関係を、概略的に示した図である。すなわち、図４は、広告主４１０、広告プラットフォーム４２０、パブリッシャ４３０、及びユーザ４４０を示している。ここで、広告主４１０は、実質的に広告主４１０が用いるパーソナルコンピュータ（ＰＣ）、スマートフォンなどの端末を意味してもよく、ユーザ４４０は実質的にユーザ４４０が用いるモバイル端末を意味してもよい。すなわち、図１に示した矢印は、広告主４１０が用いる端末、広告プラットフォーム４２０、パブリッシャ４３０、及びユーザ４４０が用いるモバイル端末の間の有線又は無線ネットワークを用いてデータが送受信されることを意味する。
【００２９】
広告プラットフォーム４２０は、広告主４１０の広告に対する入札、広告とキーワード間のマッチング、広告や広告主の整列、パブリッシャ４３０への広告提供、及び広告の表示に係る課金などを行うことができる。ここでは、広告プラットフォーム４２０の一般的かつ技術的な事項、及びインターネットを介して伝達される検索広告、バナー広告などのプラットフォームに対して従来技術を参照して理解することのできる事項については、説明を省略する。
【００３０】
パブリッシャ４３０は、ユーザ４４０に自身のサイトやアプリケーションを提供することができ、広告プラットフォーム４２０から受信した広告情報をサイトやアプリケーションを介してユーザ４４０に提供してもよい。
【００３１】
ここで、広告プラットフォーム４２０に含まれる複数の個別（individual）広告プラットフォーム（第１広告プラットフォーム、第２広告プラットフォーム、・・・）の各々は、パブリッシャ４３０に含まれる複数の個別パブリッシャ（第１パブリッシャ、第２パブリッシャ、・・・）のうち少なくとも１つの個別パブリッシャを介して広告情報を表示してもよい。逆に、パブリッシャ４３０に含まれる複数の個別パブリッシャ（第１パブリッシャ、第２パブリッシャ、・・・）の各々は、広告プラットフォーム４２０に含まれる複数の個別広告プラットフォーム（第１広告プラットフォーム、第２広告プラットフォーム、・・・）のうち少なくとも１つの個別広告プラットフォームを介して広告情報を受信してユーザ４４０に提供してもよい。
【００３２】
ここで、本発明の一時例に係る広告提供システムは、個別広告プラットフォームと関連するシステムのうち１つのシステムであるか、または個別広告プラットフォームと関連するシステムのうち１つのシステムに含まれるシステムであってもよい。
【００３３】
また、本発明の他の実施形態に係る広告提供システムは、個別パブリッシャと関連するシステムのうち１つのシステムであるか、または個別パブリッシャと関連するシステムのうち１つのシステムに含まれるシステムであってもよい。
【００３４】
また、本発明のまた他の実施形態に係る広告提供システムは、ユーザのモバイル端末に対応してもよい。
【００３５】
図５は、本発明の一実施形態において、広告提供システムの内部構成を説明するためのブロック図である。本実施形態に係る広告提供システム５００は、上述したように個別広告プラットフォームと関連するシステムのうち１つのシステムであるか、または個別広告プラットフォームと関連するシステムのうち１つのシステムに含まれるシステムであってもよい。このような広告提供システム５００は、図５に示すように、広告情報管理部５１０及び広告情報提供部５２０を含む。
【００３６】
広告情報管理部５１０は、１つの広告素材に対して、互いに異なる広告表示形態で実現された複数の広告情報を管理する。すなわち、広告主が表示しようとする１つの広告素材に対して複数の広告情報が互いに異なる広告表示形態で作成されてもよく、広告情報管理部５１０は多様な広告表示形態で作成された複数の広告情報を広告素材別に管理してもよい。
【００３７】
広告情報提供部５２０は、複数の広告情報のうち１つの広告情報を提供する。ここで、提供された１つの広告情報は、ユーザのモバイル端末に提供されてモバイル端末の画面を介して表示される。例えば、広告情報提供部５２０は、モバイル端末にサービスを提供するサーバに、広告情報を提供してもよく、前記サーバを介して広告情報がモバイル端末に提供されてもよい。ここで、前記サーバは、図４で説明した個別パブリッシャのシステムであってもよい。この場合、モバイル端末には受信した広告情報を、画面を介して表示してもよい。他の例として、広告情報提供部５２０は、モバイル端末に直接広告情報を提供してもよい。
【００３８】
また、広告情報提供部５２０は、モバイル端末の動きに基づいてモバイル端末で生成されたモーション情報に応じて、複数の広告情報のうち他の１つの広告情報をさらに提供してもよい。すなわち、１つの広告情報がモバイル端末で表示される間、モバイル端末の動きが測定されれば、モバイル端末は、モーション情報を生成して送信してもよい。ここで、モーション情報は、前記サーバに送信されて前記サーバを介して広告提供システム５００に伝達されてもよく、モバイル端末から直接広告提供システム５００に伝達されてもよい。この場合、前記モーション情報に応じて提供する広告情報の広告表示形態が決定されてもよい。広告情報提供部５２０は、決定された広告表示形態で実現された広告情報を前記他の１つの広告情報としてさらに提供してもよい。
【００３９】
ここで、モーション情報は、モバイル端末が含む少なくとも１つのセンサの出力値に基づいて測定されたモバイル端末の動きによって生成されてもよい。前記出力値は、１つの広告情報がモバイル端末の画面を介して表示される間、前記センサの出力値を含んでもよい。上述したように、１つの広告情報がモバイル端末で表示される間に測定されたモバイル端末の動きによって、他の広告表示形態の広告情報がモバイル端末に提供されてもよい。
【００４０】
図６は、本発明の一実施形態において、広告提供方法を示すフローチャートである。本実施形態に係る広告提供方法は、図５で説明した広告提供システム５００によって実行され得る。
【００４１】
ステップＳ６１０において、広告提供システム５００は、１つの広告素材に対して、互いに異なる広告表示形態で実現された複数の広告情報を管理する。すなわち、広告主が表示しようとする１つの広告素材に対して複数の広告情報が互いに異なる広告表示形態で作成されてもよく、広告提供システム５００は、多様な広告表示形態で作成された複数の広告情報を広告素材別に管理してもよい。
【００４２】
ステップＳ６２０において、広告提供システム５００は、複数の広告情報のうち１つの広告情報を提供する。ここで、提供された１つの広告情報は、ユーザのモバイル端末に提供されてモバイル端末の画面を介して表示される。例えば、広告情報提供部５２０は、モバイル端末にサービスを提供するサーバに広告情報を提供してもよく、前記サーバを介して広告情報がモバイル端末に提供してもよい。ここで、前記サーバは、図４で説明した個別パブリッシャのシステムであってもよい。この場合、モバイル端末には受信した広告情報を画面を介して表示してもよい。他の例として、広告情報提供部５２０は、モバイル端末で直接広告情報を提供してもよい。
【００４３】
ステップＳ６３０において、広告提供システム５００は、モバイル端末の動きに基づいてモバイル端末で生成されたモーション情報に応じて複数の広告情報のうち他の１つの広告情報をさらに提供する。すなわち、１つの広告情報がモバイル端末で表示される間モバイル端末の動きが測定されれば、モバイル端末はモーション情報を生成して送信してもよい。ここで、モーション情報は、前記サーバに送信されて前記サーバを介して広告提供システム５００に伝達されてもよく、モバイル端末から直接広告提供システム５００に伝達されてもよい。この場合、前記モーション情報に応じて提供する広告情報の広告表示形態が決定され、広告提供システム５００は、ステップＳ６３０で決定した広告表示形態で実現された広告情報を前記他の１つの広告情報としてさらに提供してもよい。
【００４４】
ここで、モーション情報は、モバイル端末が含む少なくとも１つのセンサの出力値に基づいて測定されたモバイル端末の動きによって生成されてもよい。前記出力値は、１つの広告情報がモバイル端末の画面を介して表示される間の前記センサの出力値を含んでもよい。上述したように、１つの広告情報がモバイル端末で表示される間に測定されたモバイル端末の動きによって他の広告表示形態の広告情報がモバイル端末に提供されてもよい。
【００４５】
図７は、本発明の他の実施形態において、広告提供システムを説明するためのブロック図である。本実施形態に係る広告提供システム７００は、個別パブリッシャと関連するシステムのうち１つのシステムであるか、または個別パブリッシャと関連するシステムのうち１つのシステムに含まれるシステムであってもよい。このような広告提供システム７００は、図７に示すように広告情報提供部７１０、モーション情報受信部７２０、及び広告情報要求部７３０を含んでもよい。
【００４６】
広告情報提供部７１０は、１つの広告表示形態で実現された第１広告情報を広告プラットフォームから受信してユーザのモバイル端末に提供する。ここで、広告プラットフォームは、図４で説明した個別広告プラットフォームに対応してもよい。
【００４７】
モーション情報受信部７２０は、モバイル端末の動きに基づいてモバイル端末で生成されたモーション情報を受信する。ここで、モーション情報は、前記モバイル端末が含む少なくとも１つのセンサの出力値に基づいて測定された前記モバイル端末の動きによって生成されてもよい。ここで、出力値は、前記１つの広告情報がモバイル端末の画面を介して表示される間の前記センサの出力値を含んでもよい。上述したように、１つの広告情報がモバイル端末で表示される間に測定されたモバイル端末の動きによって他の広告表示形態の広告情報がモバイル端末に提供されてもよい。
【００４８】
広告情報要求部７３０は、モーション情報に基づいて他の広告表示形態で実現された第２広告情報を広告プラットフォームに要求する。すなわち、広告情報要求部７３０は、モバイル端末の動きによって生成されたモーション情報に係る広告表示形態を確認して、該当広告表示形態で実現された広告情報を第２広告情報として要求してもよい。
【００４９】
ここで、広告情報提供部７１０は、広告プラットフォームから第２広告情報を受信してモバイル端末にさらに提供してもよい。ここで、モバイル端末では、表示されている第１広告情報が第２広告情報に変更して表示されてもよい。一例として、モバイル端末の画面を介してディスプレイ広告が表示されている間に、モバイル端末でモバイル端末を振る動きが測定されれば、振る動きに応じて予め設定されたモーション情報が生成されて広告提供システム７００に送信されてもよく、モーション情報受信部７２０が前記送信されたモーション情報を受信してもよい。ここで、広告情報要求部７３０は、広告プラットフォームにモーション情報に対応する広告表示形態の広告情報の第２広告情報を要求することができ、第２広告情報が受信されると、広告情報提供部７１０は、受信した第２広告情報をモバイル端末に送信してもよい。
【００５０】
ここで、第１広告情報及び第２広告情報は、１つの広告素材に対して互いに異なる広告表示形態で実現された広告情報であってもよい。すなわち、広告主が表示しようとする１つの広告素材に対して複数の広告情報が互いに異なる広告表示形態で作成されてもよい。
【００５１】
図８は、本発明の他の実施形態において、広告提供方法を示すフローチャートである。本実施形態に係る広告提供方法は、図７で説明した広告提供システム７００によって実行され得る。
【００５２】
ステップＳ８１０において、広告提供システム７００は、１つの広告表示形態で実現された第１広告情報を広告プラットフォームから受信してユーザのモバイル端末に提供する。ここで、広告プラットフォームは、図４で説明した個別広告プラットフォームに対応してもよい。
【００５３】
ステップＳ８２０において、広告提供システム７００は、モバイル端末の動きに基づいてモバイル端末で生成されたモーション情報を受信する。ここで、モーション情報は、前記モバイル端末が含む少なくとも１つのセンサの出力値に基づいて測定された前記モバイル端末の動きによって生成されてもよい。ここで、出力値は、前記１つの広告情報がモバイル端末の画面を介して表示される間の、前記センサの出力値を含んでもよい。上述したように、１つの広告情報がモバイル端末で表示される間に測定されたモバイル端末の動きに応じて他の広告表示形態の広告情報がモバイル端末に提供されてもよい。
【００５４】
ステップＳ８３０において、広告提供システム７００は、モーション情報に基づいて他の広告表示形態で実現された第２広告情報を広告プラットフォームに要求する。すなわち、広告提供システム７００は、モバイル端末の動きによって生成されたモーション情報に係る広告表示形態を確認し、該当広告表示形態で実現された広告情報を前記第２広告情報として要求してもよい。
【００５５】
ステップＳ８４０において、広告提供システム７００は、広告プラットフォームから第２広告情報を受信してモバイル端末に送信する。ここで、モバイル端末では表示した第１広告情報が第２広告情報に変更して表示されてもよい。一例として、モバイル端末の画面を介してディスプレイ広告が表示している間に、モバイル端末で振る動きが測定されれば、振る動きに応じて予め設定されたモーション情報が生成されて広告提供システム７００に送信されてもよく、広告提供システム７００は、ステップＳ８２０で前記送信されたモーション情報を受信してもよい。ここで、広告提供システム７００は、ステップＳ８３０で広告プラットフォームにモーション情報に係る広告表示形態の広告情報の第２広告情報を要求してもよく、広告提供システム７００は、ステップＳ８４０で第２広告情報が受信される場合、受信した第２広告情報をモバイル端末に送信してもよい。
【００５６】
ここで、第１広告情報及び第２広告情報は、１つの広告素材に対して互いに異なる広告表示形態で実現された広告情報であってもよい。すなわち、広告主が表示しようとする１つの広告素材に対して複数の広告情報が互いに異なる広告表示形態で作成されてもよい。
【００５７】
図９は、本発明のまた他の実施形態において、広告提供システム９００を説明するためのブロック図である。本実施形態に係る広告提供システム９００は、上述したようにユーザのモバイル端末に対応してもよい。このような広告提供システム９００は、図９に示すように広告情報表示部９１０、モーション情報生成部９２０、及びモーション情報送信部９３０を含んでもよい。
【００５８】
広告情報表示部９１０は、サーバから受信した第１広告情報を画面に表示する。ここで、第１広告情報は、第１広告情報を実現した広告表示形態によって画面に表示されてもよい。また、前記サーバは、図４で説明した個別パブリッシャに対応してもよい。
【００５９】
モーション情報生成部９２０は、第１広告情報が画面に表示される間に検出された動きによってモーション情報を生成する。例えば、モーション情報は、センサ（図示せず）から提供された出力値に基づいて測定された動きによって生成されてもよい。センサを用いてモバイル端末の動きを測定する方法についてはすでに良く知られており、広告提供システム９００は、センサを用いて動きを測定するために出力値を提供する少なくとも１つのセンサをさらに含んでもよい。
【００６０】
モーション情報送信部９３０は、生成されたモーション情報をサーバに送信する。ここで、サーバは、モーション情報に基づいて必要な広告表示形態で実現された広告情報を広告プラットフォームに要求してもよく、要求に応じて広告プラットフォームから受信される広告情報を受信して第２広告情報として広告提供システム９００に伝達してもよい。
【００６１】
ここで、広告情報表示部９１０は、モーション情報に基づいてサーバから第２広告情報が受信される場合、第１広告情報が表示された画面を切り替えて受信した第２広告情報を表示してもよい。ここで、第２広告情報もまた第２広告情報を実現した広告表示形態によって画面に表示されてもよい。
【００６２】
ここで、第１広告情報及び第２広告情報は、１つの広告素材に対して互いに異なる広告表示形態で実現された広告情報であってもよい。
【００６３】
図１０は、本発明のまた他の実施形態において、広告提供方法を示すフローチャートである。本実施形態に係る広告提供方法は、図９で説明した広告提供システム９００によって実行され得る。
【００６４】
ステップＳ１０１０において、広告提供システム９００は、サーバから受信した第１広告情報を画面に表示する。ここで、第１広告情報は、第１広告情報を実現した広告表示形態によって画面に表示されてもよい。また、前記サーバは、図４で説明した個別パブリッシャに対応してもよい。
【００６５】
ステップＳ１０２０において、広告提供システム９００は、第１広告情報が画面に表示される間に検出された動きによってモーション情報を生成する。例えば、モーション情報は、センサから提供された出力値に基づいて測定された動きによって生成されてもよい。センサを用いてモバイル端末の動きを測定する方法については、すでに良く知られており、広告提供システム９００はセンサを用いて動きを測定するために出力値を提供する少なくとも１つのセンサをさらに含んでもよい。
【００６６】
ステップＳ１０３０において、広告提供システム９００は、生成されたモーション情報をサーバに送信する。ここで、サーバは、モーション情報に基づいて必要な広告表示形態で実現された広告情報を広告プラットフォームに要求してもよく、要求に応じて広告プラットフォームから受信される広告情報を受信して第２広告情報として広告提供システム９００に伝達してもよい。
【００６７】
ステップＳ１０４０において、広告提供システム９００は、モーション情報に基づいてサーバから第２広告情報が受信される場合、第１広告情報が表示された画面を切り替えて受信した第２広告情報を表示してもよい。ここで、第２広告情報もまた第２広告情報を実現した広告表示形態によって画面に表示されてもよい。
【００６８】
ここで、第１広告情報及び第２広告情報は、１つの広告素材に対して互いに異なる広告表示形態で実現された広告情報であってもよい。
【００６９】
このように、本発明の実施形態によれば、モバイル端末の動きによって表示した広告を拡張したり、または表示した広告と関連する動画などのコンテンツを提供することによって、モバイル広告に対するユーザの興味を誘発してユーザの関心を誘導することができ、ユーザがモバイル端末を振ったり回転させる行為によって生じるモバイル端末の動きを介して、より手軽に追加的な広告情報をユーザに提供することにより、広告主の立場では広告効果を高めることができ、媒体の立場では広告収益を増大させることができる。
【００７０】
本発明の実施形態に係る方法は、多様なコンピュータ手段によって実行することができるプログラム命令形態で実現され、コンピュータ読み出し可能媒体に記録してもよい。前記記録媒体は、プログラム命令、データファイル、データ構造などを単独または組み合わせたものを含んでもよい。前記記録媒体及びプログラム命令は、本発明の目的のために特別に設計して構成されたものでもよく、コンピュータソフトウェア分野の技術を有する当業者にとって公知のものであり使用可能なものであってもよい。
【００７１】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００７２】
したがって、本発明の範囲は、開示された実施形態に限定されて定められるものではなく、特許請求の範囲及び特許請求の範囲と均等なものなどによって定められるものである。
【符号の説明】
【００７３】
５００：広告提供システム
５１０：広告情報管理部
５２０：広告情報提供部
【図１】
0006039385.tif 000002
【図２】
0006039385.tif 000003
【図３】
0006039385.tif 000004
【図４】
0006039385.tif 000005
【図５】
0006039385.tif 000006
【図６】
0006039385.tif 000007
【図７】
0006039385.tif 000008
【図８】
0006039385.tif 000009
【図９】
0006039385.tif 000010
【図１０】
0006039385.tif 000011